(57)【要約】【課題】多層の液晶パネルを持つ電子機器において、薄型で部品点数が少なく組立てが容易でありながらも、液晶パネルガラスを損傷したり、表示に悪影響を及ぼしたりすることがないように液晶パネルを固定する。【解決手段】電子時計の液晶パネルを固定するパネル枠１の中に下から順に、シールド板付きのＥＬパネル２、下側液晶パネル３、クッション部材４、上側液晶パネル５が重ねて配置されている。対向する下側液晶パネル３と上側液晶パネル５の各々のパネルガラス間はクッション部材４により隙間が形成されている。【選択図】    図１
2004212860.tif 000002
【特許請求の範囲】
【請求項１】
第１の液晶パネルと、
前記第１の液晶パネル上に重ねられた第２の液晶パネルと、
前記第１の液晶パネルと前記第２の液晶パネルの対向する面の間に隙間を形成するために配置されたクッション部材と、
前記第１の液晶パネルと前記第２の液晶パネルを前記クッション部材を介して収納する凹部を形成するパネル枠と、
前記パネル枠における前記凹部の底に設置され、前記第１の液晶パネルおよび前記第２の液晶パネルの各々の電極に接触させる弾性のコネクタと、
前記パネル枠内にて前記第１の液晶パネル上に前記クッション部材を介して重ねられた前記第２の液晶パネルを、前記パネル枠における前記凹部の底側に押さえ込む押さえ部材と、
を備えた電子機器。
【請求項２】
前記パネル枠における前記凹部の側面において、対向する２面のうちの一方が前記第１の液晶パネルの端部が突き当たる突き当て部であり、もう一方の近傍に該突き当て部に前記第１の液晶パネルを付勢するばねが設けられており、
さらに、前記対向する２面とは別の２面のうちの一方が前記第２の液晶パネルの端部が突き当たる突き当て部であり、もう一方の近傍に該突き当て部に前記第２の液晶パネルを付勢するばねが設けられた、請求項１に記載の電子機器。
【請求項３】
前記第１の液晶パネルおよび前記第２の液晶パネルの各々の電極は前記第１の液晶パネルおよび前記第２の液晶パネルにおける各々の端部に配設されており、
前記第１の液晶パネルおよび前記第２の液晶パネルにおける前記端部とは反対側の端部に対し、前記コネクタと同一形状で同一高さの非導電コネクタが配置されている、請求項１または２に記載の電子機器。
【請求項４】
前記コネクタと電気的に接続された回路ブロックをさらに備えた請求項１から３のいずれかに記載の電子機器。
【発明の詳細な説明】
【０００１】
【発明の属する技術分野】
本発明は、液晶パネルを固定する液晶パネル固定装置、この液晶パネル固定装置を備えた電子機器および電子時計に関する。
【０００２】
【従来の技術】
液晶パネルを有する電子機器として、電子時計、携帯型ゲーム機器、携帯型情報端末などがある。このような電子機器は、液晶パネルとこの液晶パネルを駆動制御する回路ブロックとを有するムーブメント部と、このムーブメント部を駆動するための電池が着脱自在に装着される電池装着部と、ムーブメント部及び電池装着部を収容するケースとを備えた構成であり、薄型で部品点数が少なく組立てが容易なものが一般に求められている。
【０００３】
このような従来の、液晶パネルを有する電子機器の構造を説明する。図７は従来の電子機器の分解斜視図、図８は図７に示した電子機器の組立て後の断面図を示す。これらの図を参照すると、モジュールケース１０１内にプリント配線基板１０２が取り付けられている。プリント配線基板１０２上にはセラミック配線基板１０３が、セラミック配線基板１０３に設けられたスルーホール１０４、１０５がプリント配線基板１０２のコネクタピン１０６の先端および角柱コネクタ１０７の先端に案内されることで、位置決めされている。プリント配線基板１０２に位置決めされたセラミック配線基板１０３が、モジュールケース１０１に設けられたツメ１０８により係止され、固定されている。セラミック配線基板１０３の端子１０９上にはゼブラコネクタ１１０が配置されている。そして、液晶パネル１１１が上板ガラス１１２を上にしてモジュールケース１０１内に押し込まれることによって、導通用ゼブラゴム１１０により液晶パネル１１１のセグメント端子（不図示）とセラミック配線基板１０３の端子１０９とが電気的に接続されるとともに、ツメ１１４によって液晶パネル１１１の縁部が係止される（例えば、特開昭５２−８９３５３号公報参照）。
【０００４】
また、上記のように二つの回路基板（プリント配線基板１０２およびセラミック配線基板１０３）を備えた構成であるが、基本的に上記と同様の構成で、回路基板が一つの電子機器もある（例えば、特開昭５６−１４９７８号公報参照）。
【０００５】
【特許文献１】
特開昭５２−８９３５３号公報（第７頁左下欄、第１０図、第１３図）
【０００６】
【特許文献２】
特開昭５６−１４９７８号公報（第２頁右上欄、第１図）
【０００７】
【発明が解決しようとする課題】
また、液晶パネルを有する電子機器において、液晶表示面を多層化して表示する方法が知られている。例えば、電子時計の液晶パネルでは、時・分・秒を主とする普通携帯時計と、たとえば１〜３１日の一ヶ月間の日付が表示されるカレンダーを主としての暦時計を各々独立した液晶パネルを用いて表示するものがある（例えば特開昭５４−４５１６９号公報参照）。
【０００８】
このように液晶パネルを重ねて配置する場合、各液晶パネルのセグメント端子を回路基板上のゴムコネクタに密着させるために、重ねた液晶パネルを上側から押えた状態で固定したとき、液晶パネルガラスに微小な反り、うねりなどの変形があると、液晶パネルにストレスが加わって色むらやニュートンリングが発生する場合があった。
【０００９】
また、液晶パネルを直に重ねて配置すると、落下などの衝撃によって液晶パネルガラスが割れたり、微小の振動などで液晶パネルガラスどうしが擦れたりして、表示不良になるという問題があった。
【００１０】
この対策の一つとして、重ねられる液晶パネルの一つ一つを枠組みしてから液晶パネルを重ねる方法が考えられるが、部品点数が多く組み立て性が悪くなりコスト高になる。また、薄型化を図ろうとすると枠部材の形状が複雑になるおそれがあった。
【００１１】
そこで本発明の目的は、上記従来技術の問題に鑑み、液晶パネルを多層に重ねて組み付ける構成において、薄型で部品点数が少なく組立てが容易という要求を満たしながらも、液晶パネルガラスを損傷したり、表示に悪影響を及ぼしたりすることがないように液晶パネルを固定できる構造の電子機器を提供することにある。
【００１２】
【課題を解決するための手段】
上記目的を達成するため、本発明の電子機器は、第１の液晶パネルと、前記第１の液晶パネル上に重ねられた第２の液晶パネルと、前記第１の液晶パネルと前記第２の液晶パネルの対向する面の間に隙間を形成するために配置されたクッション部材と、前記第１の液晶パネルと前記第２の液晶パネルを前記クッション部材を介して収納する凹部を形成するパネル枠と、前記パネル枠における前記凹部の底に設置され、前記第１の液晶パネルおよび前記第２の液晶パネルの各々の電極に接触させる弾性のコネクタと、前記パネル枠内にて前記第１の液晶パネル上に前記クッション部材を介して重ねられた前記第２の液晶パネルを、前記パネル枠における前記凹部の底側に押さえ込む押さえ部材と、を備えたことを特徴とする。この電子機器は、前記コネクタと電気的に接続された回路ブロックをさらに備えたものであってもよい。
【００１３】
このような構成の電子機器は重ねられた液晶パネル間にクッション部材を配置していることにより、対向する液晶パネルガラス間に隙間が形成されるので、液晶パネルガラスに反り等の変形があっても、パネル枠内に重ねて組み込んだ液晶パネルを押さえばねで押え込んだとき、液晶パネルに色むらやニュートンリングは発生しない。さらに、隙間の存在により、落下などの衝撃によって液晶パネルガラスが割れたり、微小の振動などで液晶パネルガラスどうしが擦れたりすることがないので、良好な表示が保てる。
【００１４】
また、一つのパネル枠内に液晶パネルを重ねて組み込むことができるので、液晶パネルの積層方向における厚さを薄くすることができる。さらに、パネル枠が一つで済む構成であるので、部品点数が減ってコストが削減でき、組み込み性も良くなる。
【００１５】
さらに、上記の電子機器において、前記パネル枠における前記凹部の側面において、対向する２面のうちの一方が前記第１の液晶パネルの端部が突き当たる突き当て部であり、もう一方の近傍に該突き当て部に前記第１の液晶パネルを付勢するばねが設けられていることが好ましい。さらに、前記対向する２面とは別の２面のうちの一方が前記第２の液晶パネルの端部が突き当たる突き当て部であり、もう一方の近傍に該突き当て部に前記第２の液晶パネルを付勢するばねが設けられていることが好ましい。また、突き当て部は、面状を有する突き当て面や、突起状に形成された突き当て突起などである。
【００１６】
この構成によると、各液晶パネルをその突き当て部に寄せて、パネル枠内における各液晶パネルのガタを無くすと同時に、パネル枠の中心に各液晶パネルの表示中心を位置させることが可能である。
【００１７】
また、前記第１の液晶パネルおよび前記第２の液晶パネルの各々の電極は前記第１の液晶パネルおよび前記第２の液晶パネルにおける各々の端部に配設されており、前記第１の液晶パネルおよび前記第２の液晶パネルにおける前記端部とは反対側の端部に対し、前記コネクタと同一形状で同一高さの非導電コネクタが配置されていることが好ましい。
【００１８】
この構成によれば、押さえ部材により液晶パネルを押さえ込んだときに各液晶パネルの一方の端部の電極がコネクタと接触すると同時に、この電極と反対側の端部も非導電コネクタと接触するため、各液晶パネルの偏りを防止することができる。
【００１９】
【発明の実施の形態】
以下、本発明の実施の形態について図面を参照して説明する。
【００２０】
図１は本発明の一つの実施の形態として電子時計の液晶パネル固定構造を示す分解斜視図、図２は図１に示した液晶パネルの組立て後の平面図、図３は図２に示したＡ−Ａ線に沿った断面図、図４は図２に示したＢ−Ｂ線に沿った断面図である。図５は図１に示したパネル枠の平面図、図６は図１に示したパネル枠の斜視図である。
【００２１】
図１、３、４に示すように電子時計の液晶パネルを固定するパネル枠１の中に下から順に、シールド板付きのＥＬパネル２、下側液晶パネル３、クッション部材４、上側液晶パネル５が重ねて配置されている。
【００２２】
パネル枠１が形成する凹形状の収納部に組み込む場合は、まず、パネル枠１の中に下から順に、ＥＬパネル２、下側液晶パネル３、クッション部材４、上側液晶パネル５を重ね入れ、押さえばね６でパネル枠１側に押さえて仮固定する。次に、パネル枠１の、液晶パネル組み込み側とは反対側から、下側液晶パネル３および上側液晶パネル５の各々の電極と接触させる導通性ゴムのコネクタ１２、１３、１４を組み込み、回路ブロック７等を固定する。その後、上側液晶パネル５上面の外周部を押さえばね６でパネル枠１側に押さえ込むことにより、パネル枠１に組み込んだ部品全体をゴムのコネクタ１２、１３、１４の弾性を利用して沈ませながら、押さえばね６をパネル枠１の側面の爪１ａに引っ掛けて、固定する。尚、バックライトとしてのＥＬパネル２に、シールド板が付いていないものであってもよい。また、本例のコネクタ１２、１４はゼブラコネクタ等の導電性ゴムコネクタを用いたが、導電性部材からなるコイルばねをコネクタとして用いてもよい。
【００２３】
下側液晶パネル３は上板ガラスと下板ガラスの間に液晶セルを配置し、上板ガラス及び下板ガラスの表面にそれぞれ偏光板を貼り付けた構成であり、上側液晶パネル５は上板ガラスと下板ガラスの間に液晶セルを配置し、上板ガラスの表面に偏光板を貼り付けた構成である。
【００２４】
下側液晶パネル３および上側液晶パネル５の外周部の間にクッション部材４が配置されていて、対向する下側液晶パネル３の上板ガラス面と上側液晶パネル５の下板ガラス面との間に隙間を形成している。このように液晶パネル間に隙間を有することにより、液晶パネルガラスに反り等の変形があっても、押さえばね６で押え込んだときに液晶パネルに色むらやニュートンリングは発生しない。さらに、隙間の存在により、落下などの衝撃によって液晶パネルガラスが割れたり、微小の振動などで液晶パネルガラスどうしが擦れたりすることがないので、良好な表示が保てる。なお、クッション部材４はリング状の１部品で構成しても、複数の接着シートのようなもので数箇所貼り付けることも可能である。また、クッション部材４の材質は発泡材やゴムなどの弾性部材であればよく、例えばシリコンゴムが考えられる。
【００２５】
図１に示すようにＥＬパネル２、下側液晶パネル３、クッション部材４、上側液晶パネル５はそれぞれ６角形の外形形状をなし、図５及び図６からも分かるように、これらの部品を収容する６角形の外周形状の凹部がパネル枠１が形成されている。パネル枠１が形成する凹部の底面と平行な方向において、この凹部の側面と上記の各部品の外周との間には隙間が形成されている。
【００２６】
パネル枠１が形成する凹部の、図５中のＸ方向（時計の１２時方向と６時方向）において対向する２つの側面のうちの一方の側面に、６角形の下側液晶パネル３の１つの辺が突き当たる突き当て突起１１が設けられており、もう一方の側面には、この下側液晶パネル３の１つの辺を突き当て突起１１に押し付ける下側液晶パネル押し付けばね８が設けられている（図３）。この構成により、突き当て突起１１に下側液晶パネル３を突き当てて、パネル枠１内における下側液晶パネル３のガタを無くすと同時に、パネル枠１の中心に下側液晶パネル３の表示中心が来るようになっている。
【００２７】
さらに、パネル枠１が形成する凹部の、図５中のＹ方向（同一平面でＸ方向と直交する方向で、時計の３時方向と９時方向）において対向する２つの側面のうちの一方の側面が、６角形の上側液晶パネル５の１つの辺が突き当たる突き当て突起１０となっており、もう一方の側面には、この上側液晶パネル５の１つの辺を突き当て突起１０に押し付ける上側液晶パネル押し付けばね９が設けられている（図４）。この構成により、突き当て突起１０に上側液晶パネル５を寄せて、パネル枠１内における上側液晶パネル５のガタを無くすと同時に、パネル枠１の中心、並びに、パネル枠１の突き当て突起１１に突き当てた上側液晶パネル５の中心に上側液晶パネル５の表示中心が来るようになっている。
【００２８】
また、パネル枠１が形成する凹部の、図５中のＹ方向において対向する各々の側面近傍には、下側液晶パネル用コネクタ挿入穴１５、１６が形成されている。下側液晶パネル用コネクタ挿入穴１５には、導電性ゴム部材からなるゼブラコネクタ等の下側液晶パネル用コネクタ１２が挿入されている。下側液晶パネル用コネクタ１２は回路ブロック７と電気的に接続されており、パネル枠１に収納された下側液晶パネル３の一端部の電極（不図示）と接触する（図４）。一方、下側液晶パネル用コネクタ挿入穴１６には非導電ダミーコネクタ１３が挿入されていて、パネル枠１に組み込んだ下側液晶パネル３の一端部の電極（不図示）とは反対側の端部を支持する（図４）。非導電ダミーコネクタ１３は下側液晶パネル用コネクタ１２と同一形状および同一高さである。このように、下側液晶パネル３が時計の３時方向もしくは９時方向のどちらか一方で電極をとる場合、電極をとらない他方向に非導電コネクタをダミーとして組み込んでおくことで、押さえばね６により押さえ込んだときの下側液晶パネル３の偏りを防止することができる。
【００２９】
さらに、パネル枠１が形成する凹部の、図５中のＸ方向において対向する２つの側面のうちの一方の近傍には、上側液晶パネル用コネクタ挿入穴１７が形成されている。上側液晶パネル用コネクタ挿入穴１７には、導電性ゴム部材からなるゼブラコネクタ等の上側液晶パネル用コネクタ１４が挿入されている。上側液晶パネル用コネクタ１４は回路ブロック７と電気的に接続されており、パネル枠１に組み込んだ上側液晶パネル５の一端部の電極（不図示）と接触する（図３）。なお、図３には示していないが、本例のように上側液晶パネル５が時計の１２時方向もしくは６時方向のどちらか一方で電極をとる場合、押さえばね６により押さえ込んだときの上側液晶パネル５の偏りを防止するため、電極をとらない他方向にも、上側液晶パネル用コネクタ１４と同一形状・同一高さの非導電コネクタをダミーとして組み込んでおくことが好ましい。
【００３０】
以上のように本例は上下２層の液晶パネルを固定する方法を示したが、２層以上の液晶パネルを組み込んだ電子機器であってもよく、本発明に好適な電子機器の例としては電子時計の他に、携帯型ゲーム機器、携帯型情報端末などが考えられる。
【００３１】
【発明の効果】
以上説明したように、本発明は、多層の液晶パネルを有する電子機器において、重ねられる液晶パネル間にクッション部材を配置し、対向する液晶パネルガラス間に隙間を形成したことにより、液晶パネルガラスに反り等の変形があっても、パネル枠内に重ねて組み込んだ液晶パネルを押さえばねで押え込んだとき、液晶パネルに色むらやニュートンリングは発生しない。さらに、隙間の存在により、落下などの衝撃によって液晶パネルガラスが割れたり、微小の振動などで液晶パネルガラスどうしが擦れたりすることがないので、良好な表示を維持することができる。
【００３２】
また、一つのパネル枠内に液晶パネルを重ねて組み込むことができるので、液晶パネルの積層方向における厚さを薄くすることができる。さらに、パネル枠が一つで済む構成であるので、部品点数が減ってコストが低減でき、組み込み性も良くなる。
【図面の簡単な説明】
【図１】本発明の一つの実施の形態としての電子時計の液晶パネルの構造を示す分解斜視図である。
【図２】図１に示したＡ−Ａ線に沿った断面図である。
【図３】図１に示したＢ−Ｂ線に沿った断面図である。
【図４】図１に示した液晶パネルの組立て後の平面図である。
【図５】図１に示したパネル枠の平面図である。
【図６】図１に示したパネル枠の斜視図である。
【図７】従来の電子機器の液晶パネル固定構造を示す分解斜視図である。
【図８】従来の電子機器の液晶パネル固定構造を示す断面図である。
【符号の説明】
１    パネル枠
１ａ    爪
２    ＥＬパネル
３    下側液晶パネル
４    クッション部材
５    上側液晶パネル
６    押さえばね
７    回路ブロック
８    下側液晶パネル押し付けばね
９    上側液晶パネル押し付けばね
１０、１１    突き当て突起
１２    下側液晶パネル用コネクタ
１３    非導通ダミーコネクタ
１４    上側液晶パネル用コネクタ
１５、１６    下側液晶パネル用コネクタ挿入穴
１７    上側液晶パネル用コネクタ挿入穴
【図１】
2004212860.tif 000003
【図２】
2004212860.tif 000004
【図３】
2004212860.tif 000005
【図４】
2004212860.tif 000006
【図５】
2004212860.tif 000007
【図６】
2004212860.tif 000008
【図７】
2004212860.tif 000009
【図８】
2004212860.tif 000010